【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）による無線通信のための方法であって、
１つ以上の近隣セルにおいて干渉する可能性がある信号を送信するために使用される１つ以上のタイプの通信サービスに関するシステムパラメータに関する情報を決定することであって、前記決定される情報のタイプは、通信サービスの前記タイプに依存することと、
前記干渉する可能性がある信号によって引き起こされた干渉を除去又は抑圧するために前記決定された情報を用いて干渉管理を行うことと、を備える、方法。
【請求項２】
前記決定された情報を用いて干渉管理を行うことは、
前記決定された情報に基づいて前記１つ以上の近隣セルからの干渉信号を検出することと、
前記検出された干渉信号に基づいてサービスを提供する基地局からの送信を処理することと、を備える請求項１に記載の方法。
【請求項３】
前記１つ以上のタイプの通信サービスは、低レートデバイスと通信するためのマシンタイプ通信（ＭＴＣ）サービス及び拡大されたカバレッジのデバイスと通信するためのＭＴＣサービスのうちの少なくとも１つを備え、
前記決定することは、
ＭＴＣ動作が１つ以上の近隣セルによってサポートされるかどうか、
ＭＴＣ動作の帯域幅、
ＭＴＣ動作のために使用される周波数リソースの場所、
ＭＴＣ送信のために使用されるサブフレーム、
ＭＴＣ送信の周期性、又は
１つ以上のタイプのＭＴＣ送信に関するバンドリングレベル、のうちの少なくとも１つを示すシグナリングを受信することを備え、
前記干渉管理を行うことは、
干渉するＭＴＣ送信のブラインド検出を行うことと、
前記検出された干渉送信に基づいて前記サービスを提供する基地局からの送信を処理することと、を備える請求項１に記載の方法。
【請求項４】
前記１つ以上のタイプの通信サービスは、マルチメディアブロードキャスト単一周波数ネットワーク（ＭＢＳＦＮ）サービスを備え、
前記決定することは、
１つ以上の近隣セルに関するＭＢＳＦＮサブフレーム構成のシグナリングを受信すること、又は
ＭＢＳＦＮサブフレームに関する復調基準信号（ＤＭＲＳ）に基づくユニキャスト送信に対するマルチメディアブロードキャスト及びマルチキャストサービス（ＭＢＭＳ）関連の構成のシグナリングを受信すること、のうちの少なくとも１つを備える請求項１に記載の方法。
【請求項５】
前記１つ以上のタイプの通信サービスは、ポジショニング基準信号（ＰＲＳ）を用いたポジショニングサービスを備え、
前記決定することは、
１つ以上の近隣セルに関するＰＲＳ構成のシグナリングを受信することを備え、
前記干渉管理を行うことは、
ＰＲＳ送信のブラインド検出を行うことと、
前記検出された干渉送信に基づいてサービスを提供する基地局からの送信を処理することと、を備える請求項１に記載の方法。
【請求項６】
検出された信号、前記ＵＥによって除去された信号、又は既知の信号を検出するために前記ＵＥによって使用される１つ以上の仮説のうちの少なくとも１つを含む前記ＵＥの干渉除去能力をシグナリングすることをさらに備える請求項１に記載の方法。
【請求項７】
基地局（ＢＳ）による無線通信のための方法であって、
１つ以上の近隣セルにおいて干渉する可能性がある信号を送信するために使用される１つ以上のタイプの通信サービスに関するシステムパラメータに関する情報を決定することであって、前記決定される情報のタイプは、通信サービスの前記タイプに依存することと、
前記干渉する可能性がある信号によって引き起こされた干渉を除去又は抑圧するために前記決定された情報を用いて干渉管理を行うのを補助するために１つ以上のユーザ装置（ＵＥ）にシグナリングを送信することと、を備える、方法。
【請求項８】
前記１つ以上のタイプの通信サービスは、低レートデバイスと通信するためのマシンタイプ通信（ＭＴＣ）サービス及び拡大されたカバレッジのデバイスと通信するためのＭＴＣサービスのうちの少なくとも１つを備え、
前記送信することは、
ＭＴＣ動作が１つ以上の近隣セルによってサポートされるかどうか、
ＭＴＣ動作の帯域幅、
ＭＴＣ動作のために使用される周波数リソースの場所、
ＭＴＣ送信のために使用されるサブフレーム、
ＭＴＣ送信の周期性、又は
１つ以上のタイプのＭＴＣ送信に関するバンドリングレベル、のうちの少なくとも１つを示すシグナリングを送信することを備える請求項７に記載の方法。
【請求項９】
前記１つ以上のタイプの通信サービスは、マルチメディアブロードキャスト単一周波数ネットワーク（ＭＢＳＦＮ）サービスを備え、
前記送信することは、
１つ以上の近隣セルに関するＭＢＳＦＮサブフレーム構成のシグナリングを送信すること、又は
ＭＢＳＦＮサブフレームに関する復調基準信号（ＤＭＲＳ）に基づくユニキャスト送信に対するマルチメディアブロードキャスト及びマルチキャストサービス（ＭＢＭＳ）関連の構成のシグナリングを送信すること、のうちの少なくとも１つを備える請求項７に記載の方法。
【請求項１０】
前記１つ以上のタイプの通信サービスは、ポジショニング基準信号（ＰＲＳ）を用いたポジショニングサービスを備え、
前記送信することは、
干渉管理が適用されるべきでない副帯域又はサブフレーム部分組のうちの少なくとも１つを示すシグナリングを送信することを備える請求項７に記載の方法。
【請求項１１】
ＭＴＣ構成、ポジショニング基準信号（ＰＲＳ）構成、マルチメディアブロードキャスト単一周波数ネットワーク（ＭＢＳＦＮ）構成、又は時分割複信（ＴＤＤ）サブフレーム構成のうちの少なくとも１つを含むシグナリングを前記１つ以上の近隣セルとやり取りすることをさらに備える請求項７に記載の方法。
【請求項１２】
１つ以上の近隣セルにおいて干渉する可能性がある信号を送信するために使用される１つ以上のタイプの通信サービスに関するシステムパラメータに関する情報を決定することは、
前記１つ以上のＵＥのうちの１つのＵＥから干渉除去能力を受信することを備え、前記干渉除去能力は、前記ＵＥによって検出された信号、前記ＵＥによって除去された信号、又は既知の信号を検出するために前記ＵＥによって使用される１つ以上の仮説のうちの少なくとも１つを含む請求項７に記載の方法。
【請求項１３】
前記受信された干渉除去能力に基づいて前記ＵＥをスケジューリングすることをさらに備える請求項１２に記載の方法。
【請求項１４】
無線通信のための装置であって、
１つ以上の近隣セルにおいて干渉する可能性がある信号を送信するために使用される１つ以上のタイプの通信サービスに関するシステムパラメータに関する情報を決定するための手段であって、前記決定される情報のタイプは、通信サービスの前記タイプに依存する手段と、
前記干渉する可能性がある信号によって引き起こされた干渉を除去又は抑圧するために前記決定された情報を用いて干渉管理を行うための手段と、を備える、装置。
【請求項１５】
無線通信のための装置であって、
１つ以上の近隣セルにおいて干渉する可能性がある信号を送信するために使用される１つ以上のタイプの通信サービスに関するシステムパラメータに関する情報を決定するための手段であって、前記決定される情報のタイプは、通信サービスの前記タイプに依存する手段と、
前記干渉する可能性がある信号によって引き起こされた干渉を除去又は抑圧するために前記決定された情報を用いて干渉管理を行うのを補助するために１つ以上のユーザ装置（ＵＥ）にシグナリングを送信するための手段と、を備える、装置。
【手続補正２】
【補正対象書類名】明細書
【補正対象項目名】０１０８
【補正方法】変更
【補正の内容】
【０１０８】
［０１１９］前の説明は、当業者がここにおいて説明される様々な態様を実践するのを可能にすることを目的として提供される。これらの態様に対する様々な変更は、当業者にとって容易に明確になるであろう、及びここにおいて定められる一般原理は、その他の態様に対して適用可能である。このように、請求項は、ここにおいて示される態様に限定されることは意図されず、請求項の文言に一致する最大限の適用範囲が認められるべきであり、単数形の要素への言及は、その旨特記されないかぎり“１つ及び１つのみ”を意味することは意図されず、むしろ“１つ以上”を意味することが意図される。別の特記がない限り、用語“幾つかの”は、１つ以上を意味する。当業者にとって既知であるか又は今後に知られることになる、本開示全体を通じて説明される様々な態様の要素のすべての構造上及び機能上の同等物は、引用によって明示でここにおいて組み入れられており、請求項によって包含されることが意図される。さらに、ここにおいて開示される何物も、該開示が請求項において明示されるかどうかにかかわらず公衆に開放されることは意図されない。いずれの請求項要素も、その要素が句“のための手段”を用いて明示されない限り手段プラス機能（ｍｅａｎｓ−ｐｌｕｓ−ｆｕｎｃｔｉｏｎ）であるとは解釈されるべきでない。
以下に、出願当初の特許請求の範囲に記載された発明を付記する。
［Ｃ１］
ユーザ装置（ＵＥ）による無線通信のための方法であって、
１つ以上の近隣セルにおいて干渉する可能性がある信号を送信するために使用される１つ以上のタイプの通信サービスに関するシステムパラメータに関する情報を決定することであって、前記決定される情報のタイプは、通信サービスの前記タイプに依存することと、
前記干渉する可能性がある信号によって引き起こされた干渉を除去又は抑圧するために前記決定された情報を用いて干渉管理を行うことと、を備える、方法。
［Ｃ２］
前記決定された情報を用いて干渉管理を行うことは、
前記決定された情報に基づいて前記１つ以上の近隣セルからの干渉信号を検出することと、
前記検出された干渉信号に基づいてサービスを提供する基地局からの送信を処理することと、を備えるＣ１に記載の方法。
［Ｃ３］
前記１つ以上のタイプの通信サービスは、ユニキャスト送信、ブロードキャスト送信、マルチキャスト送信、マシンタイプ通信（ＭＴＣ）送信、及びポジショニング基準信号（ＰＲＳ）送信のうちの少なくとも２つを備え、
干渉管理は、前記通信サービスのうちの少なくとも２つに関して異なった形で行われるＣ１に記載の方法。
［Ｃ４］
前記１つ以上のタイプの通信サービスは、低レートデバイスと通信するためのマシンタイプ通信（ＭＴＣ）サービス及び拡大されたカバレッジのデバイスと通信するためのＭＴＣサービスのうちの少なくとも１つを備えるＣ１に記載の方法。
［Ｃ５］
前記決定することは、
ＭＴＣ動作が１つ以上の近隣セルによってサポートされるかどうか、
ＭＴＣ動作の帯域幅、
ＭＴＣ動作のために使用される周波数リソースの場所、
ＭＴＣ送信のために使用されるサブフレーム、
ＭＴＣ送信の周期性、又は
１つ以上のタイプのＭＴＣ送信に関するバンドリングレベル、のうちの少なくとも１つを示すシグナリングを受信することを備えるＣ４に記載の方法。
［Ｃ６］
干渉管理が行われるべきでない１つ以上のサブフレームの表示を受信することをさらに備えるＣ４に記載の方法。
［Ｃ７］
干渉管理を行うことは、
干渉するＭＴＣ送信のブラインド検出を行うことと、
前記検出された干渉送信に基づいて前記サービスを提供する基地局からの送信を処理することと、を備えるＣ４に記載の方法。
［Ｃ８］
前記１つ以上のタイプの通信サービスは、マルチメディアブロードキャスト単一周波数ネットワーク（ＭＢＳＦＮ）サービスを備えるＣ１に記載の方法。
［Ｃ９］
前記決定することは、
１つ以上の近隣セルに関するＭＢＳＦＮサブフレーム構成のシグナリングを受信すること、又は
ＭＢＳＦＮサブフレームに関する復調基準信号（ＤＭＲＳ）に基づくユニキャスト送信に対するマルチメディアブロードキャスト及びマルチキャストサービス（ＭＢＭＳ）関連の構成のシグナリングを受信すること、のうちの少なくとも１つを備えるＣ８に記載の方法。
［Ｃ１０］
前記１つ以上のタイプの通信サービスは、ポジショニング基準信号（ＰＲＳ）を用いたポジショニングサービスを備えるＣ１に記載の方法。
［Ｃ１１］
前記決定することは、
１つ以上の近隣セルに関するＰＲＳ構成のシグナリングを受信することを備えるＣ１０に記載の方法。
［Ｃ１２］
干渉管理を行うことは、
ＰＲＳ送信のブラインド検出を行うことと、
前記検出された干渉送信に基づいてサービスを提供する基地局からの送信を処理することと、を備えるＣ１０に記載の方法。
［Ｃ１３］
前記決定することは、
干渉管理が適用されるべきでない副帯域又はサブフレーム部分組のうちの少なくとも１つを示すシグナリングを受信することを備えるＣ１に記載の方法。
［Ｃ１４］
前記シグナリングすることは、ブロードキャストシグナリング、マルチキャストシグナリング、無線リソース制御（ＲＲＣ）シグナリング、又は動的シグナリングのうちの少なくとも１つを備えるＣ１３に記載の方法。
［Ｃ１５］
検出された信号、前記ＵＥによって除去された信号、又は既知の信号を検出するために前記ＵＥによって使用される１つ以上の仮説のうちの少なくとも１つを含む前記ＵＥの干渉除去能力をシグナリングすることをさらに備えるＣ１に記載の方法。
［Ｃ１６］
基地局（ＢＳ）による無線通信のための方法であって、
１つ以上の近隣セルにおいて干渉する可能性がある信号を送信するために使用される１つ以上のタイプの通信サービスに関するシステムパラメータに関する情報を決定することであって、前記決定される情報のタイプは、通信サービスの前記タイプに依存することと、
前記干渉する可能性がある信号によって引き起こされた干渉を除去又は抑圧するために前記決定された情報を用いて干渉管理を行うのを補助するために１つ以上のユーザ装置（ＵＥ）にシグナリングを送信することと、を備える、方法。
［Ｃ１７］
前記１つ以上のタイプの通信サービスは、ユニキャスト送信、ブロードキャスト送信、マルチキャスト送信、マシンタイプ通信（ＭＴＣ）送信、及びポジショニング基準信号（ＰＲＳ）送信のうちの少なくとも２つを備えるＣ１６に記載の方法。
［Ｃ１８］
前記１つ以上のタイプの通信サービスは、低レートデバイスと通信するためのマシンタイプ通信（ＭＴＣ）サービス及び拡大されたカバレッジのデバイスと通信するためのＭＴＣサービスのうちの少なくとも１つを備えるＣ１６に記載の方法。
［Ｃ１９］
前記送信することは、
ＭＴＣ動作が１つ以上の近隣セルによってサポートされるかどうか、
ＭＴＣ動作の帯域幅、
ＭＴＣ動作のために使用される周波数リソースの場所、
ＭＴＣ送信のために使用されるサブフレーム、
ＭＴＣ送信の周期性、又は
１つ以上のタイプのＭＴＣ送信に関するバンドリングレベル、のうちの少なくとも１つを示すシグナリングを送信することを備えるＣ１８に記載の方法。
［Ｃ２０］
干渉管理が行われるべきでない１つ以上のサブフレームの表示を送信することをさらに備えるＣ１８に記載の方法。
［Ｃ２１］
前記１つ以上のタイプの通信サービスは、マルチメディアブロードキャスト単一周波数ネットワーク（ＭＢＳＦＮ）サービスを備えるＣ１６に記載の方法。
［Ｃ２２］
前記送信することは、
１つ以上の近隣セルに関するＭＢＳＦＮサブフレーム構成のシグナリングを送信すること、又は
ＭＢＳＦＮサブフレームに関する復調基準信号（ＤＭＲＳ）に基づくユニキャスト送信に対するマルチメディアブロードキャスト及びマルチキャストサービス（ＭＢＭＳ）関連の構成のシグナリングを送信すること、のうちの少なくとも１つを備えるＣ２１に記載の方法。
［Ｃ２３］
前記１つ以上のタイプの通信サービスは、ポジショニング基準信号（ＰＲＳ）を用いたポジショニングサービスを備えるＣ１６に記載の方法。
［Ｃ２４］
前記送信することは、
干渉管理が適用されるべきでない副帯域又はサブフレーム部分組のうちの少なくとも１つを示すシグナリングを送信することを備えるＣ１６に記載の方法。
［Ｃ２５］
前記シグナリングすることは、ブロードキャストシグナリング、マルチキャストシグナリング、無線リソース制御（ＲＲＣ）シグナリング、又は動的シグナリングのうちの少なくとも１つを備えるＣ２４に記載の方法。
［Ｃ２６］
ＭＴＣ構成、ポジショニング基準信号（ＰＲＳ）構成、マルチメディアブロードキャスト単一周波数ネットワーク（ＭＢＳＦＮ）構成、又は時分割複信（ＴＤＤ）サブフレーム構成のうちの少なくとも１つを含むシグナリングを前記１つ以上の近隣セルとやり取りすることをさらに備えるＣ１６に記載の方法。
［Ｃ２７］
１つ以上の近隣セルにおいて干渉する可能性がある信号を送信するために使用される１つ以上のタイプの通信サービスに関するシステムパラメータに関する情報を決定することは、
前記１つ以上のＵＥのうちの１つのＵＥから干渉除去能力を受信することを備え、前記干渉除去能力は、前記ＵＥによって検出された信号、前記ＵＥによって除去された信号、又は既知の信号を検出するために前記ＵＥによって使用される１つ以上の仮説のうちの少なくとも１つを含むＣ１６に記載の方法。
［Ｃ２８］
前記受信された干渉除去能力に基づいて前記ＵＥをスケジューリングすることをさらに備えるＣ１７に記載の方法。
［Ｃ２９］
無線通信のための装置であって、
１つ以上の近隣セルにおいて干渉する可能性がある信号を送信するために使用される１つ以上のタイプの通信サービスに関するシステムパラメータに関する情報を決定するための手段であって、前記決定される情報のタイプは、通信サービスの前記タイプに依存する手段と、
前記干渉する可能性がある信号によって引き起こされた干渉を除去又は抑圧するために前記決定された情報を用いて干渉管理を行うための手段と、を備える、装置。
［Ｃ３０］
無線通信のための装置であって、
１つ以上の近隣セルにおいて干渉する可能性がある信号を送信するために使用される１つ以上のタイプの通信サービスに関するシステムパラメータに関する情報を決定するための手段であって、前記決定される情報のタイプは、通信サービスの前記タイプに依存する手段と、
前記干渉する可能性がある信号によって引き起こされた干渉を除去又は抑圧するために前記決定された情報を用いて干渉管理を行うのを補助するために１つ以上のユーザ装置（ＵＥ）にシグナリングを送信するための手段と、を備える、装置。